(57)【要約】【課題】箱形状の強制に伴う、製造、輸送、保管等のコスト増や、製造、輸送、保管、組立等の作業の煩雑化を解消する【解決手段】平行に配置された複数枚のシートからなる縦仕切壁部２と、平行に配置された複数枚のシートからなる横仕切壁部３とが直交するように井桁状に組み立てられてなり、縦仕切壁部２と横仕切壁部３とは交線を軸として相互に回動可能とされ、この回動により縦仕切壁部２と横仕切壁部３との交差角度が浅くなることによって、縦仕切壁部２と横仕切壁部３とを一体的な扁平体１´に畳むことが可能なように構成されており、縦仕切壁部２及び横仕切壁部３のいずれか一つの下端から底面部４が延出されている、仕切体１とする。【選択図】図５
2008260563.tif 000002
【特許請求の範囲】
【請求項１】
底部及びその周縁から立設する筒状の側面部を有する箱内に嵌め入れられる仕切体であって、
一枚のシートが折り曲げられて形成されるか、又は複数枚のシートが組み立てられて形成されており、
仕切壁部と、仕切壁部から延出する底面部とを有し、
前記底面部は、前記箱の側面部内面のうち相対する一方側部分及び他方側部分にそれぞれ当接する一対の当接部を有しており、かつ平面形状が維持されるように構成されている、
ことを特徴とする仕切体。
【請求項２】
多角形状の底部及びその周縁から立設する多角筒状の側面部を有する箱内に嵌め入れられる仕切体であって、
前記底面部の一対の当接部は、前記箱の側面部内面の角部のうちいずれか一対の対角にそれぞれ当接する一対の角部である、
請求項１記載の仕切体。
【請求項３】
前記仕切体は、一枚または平行に配置された複数枚のシートからなる縦仕切壁部と、一枚または平行に配置された複数枚のシートからなる横仕切壁部とが直交するように組み立てられてなるものであり、
前記縦仕切壁部と横仕切壁部とは交線を軸として相互に回動可能とされ、この回動により前記縦仕切壁部と横仕切壁部との交差角度が浅くなることによって、前記縦仕切壁部と横仕切壁部とを一体的な扁平体に畳むことが可能なように構成されており、
前記底面部は、前記縦仕切壁部及び横仕切壁部のいずれか一つの下端から延出されている、
請求項１または２記載の仕切体。
【請求項４】
前記仕切体は、前記縦仕切壁部と横仕切壁部とが井桁状に組み立てられてなるものであり、
前記底面部は、前記扁平体の周囲からそれぞれ前記扁平体の側面に沿うように折り曲げ可能とされ、且つこの折り曲げた状態で、前記扁平体の側面に露出する縦仕切壁部及び横仕切壁部のうち前記底面部の延出もとを除く仕切壁部と前記底面部とが着脱自在に係止されるように構成されている、請求項３記載の仕切体。
【請求項５】
複数の底片からなる底部及びその周縁から立設する筒状の側面部を有し、側面部を折り畳み状態から広げることにより前記底片が自動的に組み上がり底部をなすように構成されたワンタッチ底組み箱内に、請求項１〜４のいずれか１項に記載の仕切体を嵌めいれてなることを特徴とする、仕切体を有するワンタッチ底組み箱。
【発明の詳細な説明】
【技術分野】
【０００１】
本発明は、ダンボール箱等の箱体内に複数の物品を収納する際、物品間を仕切るために使用される仕切体、及びこれを用いたワンタッチ底組み箱に関するものである。
【背景技術】
【０００２】
平坦な折り畳み状態で輸送でき、簡単に組み立てて使うことができるものとして、従来から、糊付け簡易組立て形のダンボール箱が用いられている。近年では、糊付け簡易組立て形の中でも、複数の底片からなる底部及びその周縁から立設する筒状の側面部を有し、側面部を折り畳み状態から広げることにより、底片が自動的に組み上がり底部をなすように構成されたワンタッチ底組み、あるいはワンタッチ式等とも呼ばれる箱が汎用されている（例えば、特許文献１、２参照）。
このようなワンタッチ底組み箱では、筒状の側面部に付いた折り畳み癖により、使用時に所定の形状に広げようとしても、元の形状に若干復元することにより歪んだ形状となり易いため、箱内の底部に底板を嵌め入れて箱形状を強制することが行われている。
一方、箱内に複数の物品を収容する場合に、物品の位置決め及び物品間の緩衝を目的として、箱内に井桁状等の仕切体を用いることも行われている（例えば、特許文献３、４参照）。
【特許文献１】実公昭３２−００７７８８号公報
【特許文献２】実公昭３２−０１５９８３号公報
【特許文献３】特開２００４−４２９１９号公報
【特許文献４】特開２００４−３３１１６０号公報
【発明の開示】
【発明が解決しようとする課題】
【０００３】
しかし、従来のワンタッチ底組み箱では、箱形状を強制するためだけに底板を入れなければならず、部品点数の増加により、製造、輸送、保管等のコスト増や、製造、輸送、保管、組立等の作業の煩雑化を招いていた。
そこで、本発明の主たる課題は、これらの問題点を解決することにある。
【課題を解決するための手段】
【０００４】
上記課題を解決した本発明は次記のとおりである。
なお、本発明における方向を示す語句は、発明を説明する上で便宜上定めたものであり、製品として使用される際の方向を限定するものではない。
【０００５】
＜請求項１記載の発明＞
底部及びその周縁から立設する筒状の側面部を有する箱内に嵌め入れられる仕切体であって、
一枚のシートが折り曲げられて形成されるか、又は複数枚のシートが組み立てられて形成されており、
仕切壁部と、仕切壁部から延出する底面部とを有し、
前記底面部は、前記箱の側面部内面のうち相対する一方側部分及び他方側部分にそれぞれ当接する一対の当接部を有しており、かつ平面形状が維持されるように構成されている、
ことを特徴とする仕切体。
【０００６】
（作用効果）
本発明は、箱内に嵌め入れる仕切体に従来の底板の機能を統合したものである。すなわち本発明は、仕切体に、箱の側面部内面のうち相対する一方側部分及び他方側部分にそれぞれ当接する一対の当接部を有し且つ平面形状が維持される底面部を設け、この底面部により側面部の形状維持を図るものであり、仕切体を用いる場合であれば、部品点数の増加、及びそれに伴う製造、輸送、保管等のコスト増や、製造、輸送、保管、組立等の作業の煩雑化を回避することができるものである。
【０００７】
＜請求項２記載の発明＞
多角形状の底部及びその周縁から立設する多角筒状の側面部を有する箱内に嵌め入れられる仕切体であって、
前記底面部の一対の当接部は、前記箱の側面部内面の角部のうちいずれか一対の対角にそれぞれ当接する一対の角部である、
請求項１記載の仕切体。
【０００８】
（作用効果）
このように、底面部の当接部をいずれかの対角方向に限定して設けることにより、仕切体の底面部の面積（つまり材料使用量）を最小限に抑えながらも、形状維持機能を発揮させることができる。
【０００９】
＜請求項３記載の発明＞
前記仕切体は、一枚または平行に配置された複数枚のシートからなる縦仕切壁部と、一枚または平行に配置された複数枚のシートからなる横仕切壁部とが直交するように組み立てられてなるものであり、
前記縦仕切壁部と横仕切壁部とは交線を軸として相互に回動可能とされ、この回動により前記縦仕切壁部と横仕切壁部との交差角度が浅くなることによって、前記縦仕切壁部と横仕切壁部とを一体的な扁平体に畳むことが可能なように構成されており、
前記底面部は、前記縦仕切壁部及び横仕切壁部のいずれか一つの下端から延出されている、
請求項１または２記載の仕切体。
【００１０】
（作用効果）
本項記載の発明は、複数の仕切壁部を井桁状や十字状等に組立てた、扁平体に畳むことができる仕切体に好適なものである。このような仕切体では、底面部の当接部が別々の仕切壁部から延出されていると、平面形状が維持されない。よって、本項記載の発明では、底面部が、縦仕切壁部及び横仕切壁部のいずれか一つの下端から延出する構造としたものである。
【００１１】
＜請求項４記載の発明＞
前記仕切体は、前記縦仕切壁部と横仕切壁部とが井桁状に組み立てられてなるものであり、
前記底面部は、前記扁平体の周囲からそれぞれ前記扁平体の側面に沿うように折り曲げ可能とされ、且つこの折り曲げた状態で、前記扁平体の側面に露出する縦仕切壁部及び横仕切壁部のうち前記底面部の延出もとを除く仕切壁部と前記底面部とが着脱自在に係止されるように構成されている、請求項３記載の仕切体。
【００１２】
（作用効果）
本項記載の発明のように、仕切体が井桁状に組まれている場合、縦仕切壁部及び横仕切壁部の全てが直接又は間接に互いの動きを拘束し合うようになる。よって、このような場合に、本項記載のように扁平体の側面に露出する縦仕切壁部及び横仕切壁部のうち底面部の延出もとを除く仕切壁部が、底面部との係止により動きを拘束されると、縦仕切壁部及び横仕切壁部の全てが直接又は間接に拘束されて扁平状態が維持される。その結果、底面部も含め仕切体全体が扁平状に固定（ロック）されるようになる。
よって、仕切体を予め組み立てて出荷、輸送、保管する場合、別途の留め具を用いなくても、コンパクトな状態を維持でき、コスト増や作業の煩雑化を回避することができる。
【００１３】
＜請求項５記載の発明＞
複数の底片からなる底部及びその周縁から立設する筒状の側面部を有し、側面部を折り畳み状態から広げることにより前記底片が自動的に組み上がり底部をなすように構成されたワンタッチ底組み箱内に、請求項１〜４のいずれか１項に記載の仕切体を嵌めいれてなることを特徴とする、仕切体を有するワンタッチ底組み箱。
【００１４】
（作用効果）
前述したように、ワンタッチ底組み箱においては、筒状の側面部に付いた折り畳み癖により、使用時に所定の形状に広げようとしても、歪んだ形状になり易い。よって、前述した本発明の仕切体は、本項記載のようにワンタッチ底組み箱と組み合わせて使用するのに好適である。
【発明の効果】
【００１５】
以上のとおり、本発明によれば、箱形状の強制に伴う、製造、輸送、保管等のコスト増や、製造、輸送、保管、組立等の作業の煩雑化を解消することができる等の利点がもたらされる。
【発明を実施するための最良の形態】
【００１６】
以下、本発明の一実施形態について添付図面を参照しつつ説明する。
図１は組立後の仕切体１の斜視図、図２は縦仕切壁部２の平面図、図３は底面部を有しない横仕切壁部３の平面図、図４は底面部４を有する横仕切壁部３の平面図である。この仕切体１は、直方体状の箱１０内に嵌め入れるものであり、平行に配置された２枚の長方形状シートからなる縦仕切壁部２と、平行に配置された３枚の長方形状シートからなる横仕切壁部３とが、互いに直交するように井桁状に組み立てられてなるものである。
【００１７】
縦仕切壁部２には、高さ方向一端から中間まで延在する所定幅のスリット状切込み２ｃが、縦方向に所定の間隔を空けて横仕切壁部３の枚数分形成されており、横仕切壁部３においても、高さ方向一端から中間まで延在する所定幅のスリット状切込み３ｃが、横方向に所定の間隔を空けて縦仕切壁部２の枚数分形成されており、図１等に示すように、縦仕切壁部２の切込み２ｃに、対応する横仕切壁部３の切込み３ｃを挿入し、噛み合わせることにより、仕切体１が組み上がるようになっている。
【００１８】
このような切込み２ｃ，３ｃの噛み合わせにより組み立てると、図７〜図９に示すように、縦仕切壁部２と横仕切壁部３とが高さ方向に沿う交線を軸として相互に回動可能となり、この回動により縦仕切壁部２と横仕切壁部３との交差角度θが浅くなることによって、縦仕切壁部２と横仕切壁部３とが一体的な扁平体として畳むことが可能になる。
【００１９】
各仕切壁部２，３における切込み２ｃ，３ｃの幅ｘは、シートの厚さと同じか、又は若干狭くするのが好ましく、切込み２ｃ，３ｃの深さｙは、縦仕切壁部２及び横仕切壁部３の高さが同じである場合、その高さの半分とするのが好ましい。また、縦仕切壁部２及び横仕切壁部３のいずれか一方における切込み、例えば図示例のように縦仕切壁部２の切込み２ｃついては、高さ方向上端から中間部までの切込み２ｃと、高さ方向下端から中間部までの切込み２ｃとを、高さ方向と直交する方向（縦仕切壁部２では縦方向、横仕切壁部では横方向）において交互に設けるのが好ましい。
【００２０】
特徴的には、横仕切壁部３のうち縦方向中央に位置する横仕切壁部３のみ、下端から底面部４，５が延出されている。より詳細には、底面部は、横仕切壁部３の横方向一端から横方向中央までの一方側部分の下端から延出する第１の底面部分４と、横方向他端から横方向中央までの他方側部分の下端から延出する第２の底面部分５とから構成されている。第１の底面部分４は、横仕切壁部３の下端から縦方向一方側に向かって縦仕切壁部２の一端から食み出すように延出されており、第２の底面部分５は、縦方向他方側に向かって縦仕切壁部２の他端から食み出すように延出されている。
【００２１】
これら第１の底面部分４及び第２の底面部分５は、単一のシート（横仕切壁部３）から延出されているため、底面部４，５全体としての平面形状が維持される。また、第１の底面部分４の先端部における横方向外側の角部４Ｃ、及び第２の底面部分５の先端部における横方向外側の角部５Ｃは、使用対象の箱における側面部内面の４つの角部のうちいずれか一対の対角１０Ｃ，１０Ｃにそれぞれ当接する当接部となる。したがって、このような当接部４Ｃ，５Ｃが形成されるように、箱の寸法、形状に合わせて底面部４，５の寸法・形状が定められる。
【００２２】
図示例と異なり、底面部４，５の横方向一端及び他端を、横仕切壁部３の横方向一端及び他端からそれぞれ食み出すように構成したり、底面部４，５の縦方向一端及び他端を、縦仕切壁部２の一端及び他端と同じ位置まで延出させ、縦仕切壁部２の一端及び他端から食み出さないように構成したりすることもできる。要するに、底面部４，５は、使用対象の箱１０における側面部内面のうち相対する一方側部分及び他方側部分にそれぞれ当接する一対の当接部を有していれば良い。
【００２３】
使用に際しては、図１及び図５に示すように、仕切体１を箱１０内の底部に嵌め入れる。これにより、縦仕切壁部２及び横仕切壁部３が収容物品間を仕切る機能を発揮する。さらに、仕切体１の底面部４，５の一対の角部４Ｃ，５Ｃが箱１０の側面部内面における一対の対角１０Ｃ，１０Ｃにそれぞれ当接した状態で、底面部４，５の平面形状が維持されるため、箱１０が平行四辺形状に変形しようとしても、底面部４，５がつっかいとなり、変形が阻止されるようになる。
【００２４】
仕切体１を嵌め入れる箱１０については特に限定されるものではない。しかし、図６に示すような、複数の底片１１ｆからなる底部１１及びその周縁から立設する筒状の側面部１２を有し、側面部１２を折り畳み状態から広げることにより底片１１ｆが自動的に組み上がり底部１１をなすように構成されたワンタッチ底組み箱は、使用時に歪んだ形状になり易いため、本発明の仕切体１の使用対象として特に好適である。他のワンタッチ底組み箱の例としては、特開平１１−３４８９６８号公報、特開２００２−１０４３７６号公報、特開２００６−６９５６４号公報、実公昭３２−７７８８号公報、実公昭３２−１５９８３号公報等に記載されたものを挙げることができる。
【００２５】
他方、本実施形態では、仕切体１を扁平体１´状に畳んだ状態で固定するため、第１の底面部分４の先端部における横方向内側の端部、及び第２の底面部分５の先端部における横方向内側の端部に、Ｖ字状（他の形状でも良い）の切込み４Ｖ，５Ｖがそれぞれ形成され、この切込み４Ｖ，５Ｖよりも先端側の部分がそれぞれ掛止片４Ｆ，５Ｆとされている。また、第１の底面部分４及び第２の底面部分５の各々に、基端位置と、基端から所定の間隔ｄ、例えば図示例の場合シート２枚分の間隔を空けた位置に、横方向に沿う折り曲げ罫線４ｂ，５ｂが平行に形成されている。図４中の点線及び一点鎖線は山折り及び谷折りをそれぞれ示している。
【００２６】
使用に際しては、図７〜図９に示すように、縦仕切壁部２と横仕切壁部３とを畳んで扁平体１´とした状態で、図１０に示すように、第１の底面部分４及び第２の底面部分５を扁平体１´の周囲からそれぞれ扁平体１´の一方の側面及び他方の側面に沿うように折り曲げる。そして、この扁平体１´の状態で、図１１及び図１２に示すように、第１の底面部分４の掛止片４Ｆを、第１の底面部分４の内側に重なる他の横仕切壁部３（底面部の延出もとを除く）の端部に掛け止め（換言すれば、当該他の横仕切壁部３とその内側の他の仕切壁部（図示例では縦仕切壁部２）との間に挿入する）る。同様に、第２の底面部分５の掛止片５Ｆを、第２の底面部分５の内側に重なる他の横仕切壁部３（底面部の延出もとを除く）の端部に掛け止める。このため、図示の折り曲げ状態において、掛止片４Ｆの高さ方向位置が係止対象の仕切り壁部３の高さ範囲内に位置するように、各底面部分４，５の所定部位に切込み４Ｖ，５Ｖが形成される。かくして、第１の底面部分４及び第２の底面部分５を介して三枚の横仕切壁部３が扁平状態で係止され、縦仕切壁部２及び横仕切壁部３の全てが直接又は間接に拘束されて扁平状態が維持される。その結果、底面部４，５も含め仕切体１全体が扁平状に固定（ロック）されるようになる。
【００２７】
＜他の実施形態＞
・  仕切体の各部を構成するシート及び箱の素材は、ダンボール、ボール紙等、特に限定なく用いることができる。
・  上記例では、縦仕切壁部２と横仕切壁部３とを直交させているが、これに限定されるものではなく、任意の角度で交差させることができる。また、上記例では、縦仕切壁部２と横仕切壁部３とを井桁状に組んでいるが、十字状（縦横いずれか一方を一枚とし、他方を複数枚とする形態）等に組み立てる形態も採用することができる。
・  縦仕切壁部２、横仕切壁部３、および各底面部分４，５の形状は、略長方形状となっているが、本発明はこれに限定されるものではなく、一部または全部を正方形状とするなど、適宜の形状を採用することができる。
・  上記例では縦仕切壁部２の高さと横仕切壁部３の高さとが等しくされているが、縦仕切壁部２及び横仕切壁部３には高さの差を設けても良い。
・  上記例では、当接部４Ｃ，５Ｃを一対のみ設けているが、この当接部とは別の部位に当接する当接部を設けることにより、さらに多くの当接部を設けることもできる。また本発明の底面部４，５は、一対の当接部を有する限り、箱底部の全周にわたり当接する（つまり箱底部と同形、同寸）ように構成されていても良い。
・  仕切対象の箱１０は、底部１１及び筒状の側面部１２を有するものであれば特に限定されないが、多角形状の底部及びその周縁から立設する多角筒状の側面部を有する箱が好適であり、特に上記例のような直方体状の箱、あるいは図示しない立方体状の箱が好適である。
・  上記例では、仕切体１を扁平状態に固定する手段として、各底面部分４，５に設けた掛止片４Ｆ，５Ｆを所定の仕切壁部３の端部に掛止する構成を採用しているが、本発明はこれに限定されるものではない。したがって、例えば所定の仕切壁部に差し込み孔を設け、この差し込み孔に底面部分の一部（先端に突出部を設ける等）を差し込む構成を採用することもできる。
【産業上の利用可能性】
【００２８】
本発明は、ダンボール箱等の箱体内に複数の物品を収納する際、物品間を仕切るために使用される仕切体として利用できるものである。
【図面の簡単な説明】
【００２９】
【図１】仕切体の斜視図である。
【図２】縦仕切壁部の正面図である。
【図３】底面部を有しない横仕切壁部の正面図である。
【図４】底面部を有する横仕切壁部の正面図である。
【図５】箱内への嵌め入れ状態を示す上面図である。
【図６】箱底部を示す上面図である。
【図７】仕切体の斜視図である。
【図８】仕切体の畳み途中を示す斜視図である。
【図９】仕切体を畳んで扁平体とした状態を示す斜視図である。
【図１０】底面部の折り返し途中を示す斜視図である。
【図１１】仕切体を扁平状態で固定した状態を示す正面図である。
【図１２】仕切体を扁平状態で固定した状態を示す上面図である。
【符号の説明】
【００３０】
１…仕切体、２…縦仕切壁部、３…横仕切壁部、４…底面部、１０…箱。
【図１】
2008260563.tif 000003
【図２】
2008260563.tif 000004
【図３】
2008260563.tif 000005
【図４】
2008260563.tif 000006
【図５】
2008260563.tif 000007
【図６】
2008260563.tif 000008
【図７】
2008260563.tif 000009
【図８】
2008260563.tif 000010
【図９】
2008260563.tif 000011
【図１０】
2008260563.tif 000012
【図１１】
2008260563.tif 000013
【図１２】
2008260563.tif 000014